(57)【要約】【課題】安定した振動状態を得ること。【解決手段】振動板５をその中心に対して点対称となるように形成するとともに、２個の前記圧電素子１０Ａ，１０Ｂを前記振動板５の中心に対して点対称位置に配設し、前記振動板５の長手方向における中央位置の両側に突起８，８を突設し、この突起８，８を介して前記振動板５を支持部材に固定したもの。【選択図】　　　図１
2004097987.tif 000002
【特許請求の範囲】
【請求項１】
長尺とされた振動板に圧電素子を搭載し、この圧電素子に対して電圧を印加することによって前記振動板をこの振動板の長手方向およびこれに直交する厚さ方向の少なくとも一方へ振動させ、この振動板の振動を記録紙に対して直接、または前記振動板に係合されこの振動板の振動にともなって記録紙の搬送正方向および搬送逆方向の少なくとも一方へ回転可能とされた回転体を介して、伝達させることによって、前記記録紙を搬送する記録紙搬送用振動子であって、
前記振動板をその中心に対して点対称となるように形成するとともに、２個の前記圧電素子を前記振動板の中心に対して点対称位置に配設し、前記振動板の長手方向における中央位置の両側に突起を突設し、この突起を介して前記振動板を支持部材に固定したことを特徴とする記録紙搬送用振動子。
【請求項２】
前記各突起をねじにより前記支持部材に固定したことを特徴とする請求項１に記載の記録紙搬送用振動子。
【請求項３】
前記支持部材の少なくとも前記両突起の固定部位を前記振動板が任意の傾斜角を設定し得るように回動調整可能に形成したことを特徴とする請求項１または請求項２に記載の記録紙搬送用振動子。
【発明の詳細な説明】
【０００１】
【発明の属する技術分野】
本発明は、圧電素子を振動させることを利用して記録紙を搬送する記録紙搬送用振動子に係り、特に、安定した振動状態が得られる記録紙搬送用振動子に関する。
【０００２】
【従来の技術】
従来から、プリンタ等の記録装置においては、記録紙をサーマルヘッド、インクジェットヘッドなどの記録ヘッドが配置されている所定の記録部へ搬送する記録紙搬送機構が採用されていた。
【０００３】
図４および図５は、従来の記録紙搬送用振動子を適用した記録紙搬送機構の一例を示した概略図である。
【０００４】
この記録紙搬送機構２１は、ブロック状の支持台２２を有しており、この支持台２２の上面には、上向きの２個のブラケット２３，２３が相互に間隔を隔てて平行に突設されている。前記両ブラケット２３，２３には、両ブラケット２３，２３間に配設されている振動板２４がそれぞれ水平同軸方向に延在する２本のピン２５，２５により鉛直面内において揺動自在に支持されている。
【０００５】
前記振動板２４は、前記２本のピン２５，２５を中心としてここから両方向に延在する長尺な長方形形状に形成されており、この振動板２４の一端には、上方に所定の角度をもって屈曲する長方形形状の屈曲部２６が突設されている。この屈曲部２６の上方には、この屈曲部２６を横断する水平方向に延在する駆動ローラ２７が配設されており、この駆動ローラ２７の上方には、この駆動ローラ２７に圧接して従動する従動ローラ２８が配設されている。
【０００６】
また、前記振動板２４の上面２４Ａの長手方向の中央部には、１個の圧電素子２９が取付けられており、この圧電素子２９には、図示しない電源から電圧が印加されて振動が励起されるようになっている。
【０００７】
さらに、前記支持台の各ブラケット２３にはそれぞれ突起３０が突設されており、各突起３０と前記振動板２４の前記屈曲部２６が形成されていない側の上面２４Ａとにかけて線ばね３１が配設されており、両線ばね３１，３１により前記屈曲部２６が前記駆動ローラ２７に圧接するように図５において反時計方向に前記振動板２４が付勢されている。
【０００８】
そして、前記振動板２４、ピン２５、屈曲部２６、圧電素子２９、線ばね３１などにより記録紙搬送用振動子３２が構成されている。
【０００９】
このような構成によれば、駆動ローラ２７および従動ローラ２８間に記録紙３３を挟持した状態において、振動板２４に取付けられている圧電素子２９に所定の駆動パルスを印加することにより、振動板２４が振動する。そして、この振動板２４の振動により圧接している駆動ローラ２７を所定速度で同一方向に回転駆動することになる。この結果、駆動ローラ２７および従動ローラ２８間に挟持されている記録紙３３を搬送することができる。
【００１０】
【発明が解決しようとする課題】
しかしながら、前述した従来の記録紙搬送用振動子３２を有する記録紙搬送機構３１においては、１個のみの圧電素子２９が振動板２４の上面２４Ａのみに配設されており、また、振動板２４には一端部のみに屈曲部２６が形成されている形状とされていたため、記録紙搬送用振動子３２がピン２５を中心として点対称形状となっていなかった。
【００１１】
このため、記録紙搬送用振動子３２に励起される厚さ方向の振動が、基本振動である第１次振動と、高次振動である第２次、第３次振動などとの合成振動となっていた。すなわち、図６に第１次から第３次（Ｖ１からＶ３）までを代表的に示す振動モードとして奇数次と偶数次のどちらの振動モードも励起されることになるため、安定した振動を得ることが難しかった。
【００１２】
また、振動板２４をピン２５により揺動自在に支持しているため、振動板２４の支持が不安定であった。
【００１３】
さらに、線ばね３１により振動板２４を付勢して駆動ローラ２７に圧接しているので、線ばね３１と振動板２４との接点が劣化するという課題があった。
【００１４】
本発明は、前述した従来のものにおける問題点を克服し、安定した振動状態を得ることができ、しかも、長寿命で、振動板の付勢方向を任意に設定し得る記録紙搬送用振動子を提供することを目的としている。
【００１５】
【課題を解決するための手段】
前述した目的を達成するため本発明に係る記録紙搬送用振動子の特徴は、振動板をその中心に対して点対称となるように形成するとともに、２個の前記圧電素子を前記振動板の中心に対して点対称位置に配設し、前記振動板の長手方向における中央位置の両側に突起を突設し、この突起を介して前記振動板を支持部材に固定した点にある。そして、このような構成を採用したことにより、前記突起を中心として全体的な点対称構造にして、振動板の長手方向における中央位置に振動の節ができる厚さ方向の偶数次の振動の減衰を防止するとともに、厚さ方向の固有振動モードを偶数次のみとなるようにし、また長手方向における中央位置に節を持つ長手方向の振動と節部を共有させて、奇数次の厚さ方向の振動モードの影響を排除して安定した振動状態を得ることができる。
【００１６】
本発明に係る他の記録紙搬送用振動子の特徴は、前記各突起をねじにより前記支持部材に固定した点にある。そして、このような構成を採用したことにより、振動板をねじにより安定的に固定することができる。
【００１７】
本発明に係るさらに他の記録紙搬送用振動子の特徴は、前記支持部材の少なくとも前記両突起の固定部位を前記振動板が任意の傾斜角を設定し得るように回動調整可能に形成した点にある。そして、このような構成を採用したことにより、所望の方向に所望の圧接圧を設定することができる。
【００１８】
【発明の実施の形態】
図１および図２は、本発明に係る記録紙搬送用振動子を適用した記録紙搬送機構の実施形態を示す概略図である。
【００１９】
図１および図２に示すように本発明に係る記録紙搬送用振動子２を適用した記録紙搬送機構１は、ブロック状の支持台３を有しており、この支持台３の上面には、上向きの２個のブラケット４，４が相互に間隔を隔てて平行に突設されている。
【００２０】
一方、本実施形態の記録紙搬送用振動子２に使用されている振動板５は、長尺長方形形状とされた中央板部６を有しており、この中央板部６の両端には、それぞれ中央板部６の長手方向における中央位置を中心としてそれぞれ中央板部６から反時計方向に相互に等しい所定の角度をもって屈曲する長方形形状の屈曲部７Ａ，７Ｂが突設されている。なお、前記振動板５の屈曲部７Ａ，７Ｂの曲げ方向は、逆の時計方向であっても良い。
【００２１】
さらに、前記中央板部６の長手方向における中央位置の両側には、それぞれ突起８，８が突設されており、これらの突起８，８は、前記振動板５を前記支持台３の両ブラケット４，４間に位置させたとき、対応するいずれかのブラケット４上に載置されるようになっている。そこで、前記各突起８にそれぞれ２個ずつ形成されている円形孔（図示せず）を挿通するようにして前記各ブラケット４の上面にねじ９を螺着することにより振動板５を各突起８を介して各ブラケット４に固定することができる。
【００２２】
前記振動板５の中央板部６の長手方向における中央位置の上面６Ａおよび下面６Ｂには、相互に同一形状をなす圧電素子１０Ａ，１０Ｂがそれぞれの重心を振動板５の重心と重なるようにして取付けられている。各圧電素子１０Ａ，１０Ｂには、図示しない電源から電圧が印加されて振動が励起されるようになっている。この結果、各圧電素子１０Ａ，１０Ｂへの電圧の印加により振動板５が振動されることになる。
【００２３】
このようにして前記振動板５は、前記中央板部６、前記屈曲部７Ａ，７Ｂ、前記突起８，８などにより構成されている。また、この振動板５と、この振動板５に搭載されている２個の前記圧電素子１０Ａ，１０Ｂ、前記ねじ９、前記支持台３により前記記録紙搬送用振動子２が構成されている。
【００２４】
そして、前記圧電素子１０Ａ，１０Ｂを含めた前記振動板５は、前記突起８，８が突設されている中央板部６の長手方向における中央部位の板厚方向および幅方向の中央部に重心位置があり、また、この中央部を中心として点対称の形状に形成されている。
【００２５】
前記振動板５の前記一方の屈曲部７Ａの上方には、この屈曲部７Ａを横断する水平方向に延在する駆動ローラ１１が配設されており、この駆動ローラ１１の上方には、この駆動ローラ１１に圧接して従動する従動ローラ１２が配設されている。そして、前記屈曲部７Ａを前記駆動ローラ１１に圧接するためには、前記振動板５を各ブラケット４に固定するための各ねじ９の各ブラケット４に対する螺着状態を調整すればよい。
【００２６】
つぎに、前述した構成からなる本実施形態の作用について説明する。
【００２７】
駆動ローラ１１および従動ローラ１２間に記録紙１３を挟持した状態において、振動板５に取付けられている各圧電素子１１Ａ，１１Ｂに所定の駆動パルスを印加することにより、振動板５が振動する。そして、この振動板５の振動により圧接している駆動ローラ１１を所定速度で同一方向に回転駆動することになる。この結果、駆動ローラ１１および従動ローラ１２間に挟持されている記録紙１３を搬送することができる。
【００２８】
ところで、前記振動板５は、前記突起８，８が突設されている中央板部６の長手方向における中央部位の板厚方向および幅方向の中央部に重心位置があり、また、この中央部を中心として点対称の形状に形成されているので、振動板５の厚さ方向の固有振動モードが偶数次のみとなる。すなわち、前述した図６に示す第１次Ｖ１および第３次Ｖ３の振動モード等の奇数次振動モードの影響を除去することができる。
【００２９】
ところで、偶数次の厚さ方向の振動モードの代表である第２次Ｖ２の振動モードは、図６に示すように、振動板５の重心位置である長手方向における中央位置に節がある振動であるが、振動板５の全体が完全な点対称構造なので、偶数次の振動モードを減衰させることなく安定した振動状態を得ることができる。
【００３０】
さらに、前記振動板５は、その長手方向における中央位置の両側に形成されている２個の突起８，８を介して対応する前記ブラケット４，４の上面にそれぞれねじ９を使用して固定されているので、振動板５を強固に安定よく固定することができる。また、従来のものと異なり、線ばねを用いていないので、振動板５が削落されるおそれがない。さらにまた、複数本のねじ９の螺着状態を調整することにより種々の方向に付勢することが可能となる。さらに、前記振動板５の両突起８Ａ，８Ｂの形状を変えることで、振動子５のばね定数を変化させることができ、ねじの螺着状態を細かく調整することなく、駆動ローラ１１に対する圧接力を調整することができる。
【００３１】
また、前述した図４および図５に示す従来のものと比較して、部品点数を減少することができるし、組立も簡単になる。
【００３２】
なお、前述した図１および図２に示す本発明の第１実施形態に代えて、図３に示すような構成としてもよい。
【００３３】
すなわち、本実施形態においては、支持台３の各ブラケット４，４は第１実施形態と比較して短い長さとされている。また、これらの両ブラケット４，４には、両ブラケット４，４間に配設されているほぼＵ字形状をなすブロック状の支持体１４がそれぞれ水平同軸方向に延在する２本のねじ１５，１５により鉛直面内において回動調整可能に支持されている。前記支持体１４は、直方体形状をなす基部１６と、この基部１６の上面から上向きに突設されている２個の平行なブラケット１７，１７とにより構成されている。
【００３４】
そして、前記両ブラケット１７，１７の上端に、第１実施形態と同様の振動板５の両突起８，８がそれぞれ２本のねじ９，９により固定されている。振動板５に搭載されている圧電素子１０Ａ，１０Ｂの構成も第１実施形態と同様である。
【００３５】
このような図５の構成によれば、２本のねじ１５，１５を緩めて支持体１４の傾斜状態を所望の角度に設定したうえで、これらのねじ１５，１５を締めて、支持体１４を揺動し得ないようにすることにより、振動板５により駆動ローラ１１を種々の角度に所望の圧接圧で付勢することができる。したがって、種々の記録紙の搬送機構に対応することができる。
【００３６】
なお、本発明は、前述した実施形態に限定されるものではない。例えば、駆動ローラを設けず、振動板自体により記録紙を搬送するようにしてもよい。
【００３７】
【発明の効果】
以上説明したように、本発明に係る記録紙搬送用振動子によれば、安定した振動状態を得ることができ、しかも、長寿命で、振動板の付勢方向を任意に設定することができる。
【００３８】
すなわち、振動板の長手方向における中央位置の両側に突起を突設し、この突起を介して前記振動板を支持部材に固定し、前記振動板をその長手方向における中央位置を中心として点対称形状に形成し、２個の圧電素子を前記振動板の長手方向における中央位置を中心として点対称位置に配設したので、前記突起を中心として全体的な点対称構造にして、振動板の長手方向における中央位置に振動の節ができる偶数次の厚さ方向の振動の減衰を防止するとともに、厚さ方向の固有振動モードを偶数次のみとなるようにして、奇数次の厚さ方向の振動モードの影響を排除して安定した振動状態を得ることができる。
【００３９】
また、振動板の各突起をねじにより支持部材に固定すれば、振動板をねじにより安定的に固定することができるし、振動板が線ばねのような部材により削落されるおそれもないし、複数本のねじの螺着状態を調整することにより種々の方向に付勢することが可能となる。
【００４０】
さらに、前記支持部材の少なくとも前記両突起の固定部位を前記振動板が任意の傾斜角を設定し得るように回動調整可能に形成すれば、所望の方向に所望の圧接圧を設定することができるので、種々の記録紙の搬送機構に対応することができる。
【図面の簡単な説明】
【図１】本発明に係る記録紙搬送用振動子を適用した記録紙搬送機構の実施形態を示す側面図
【図２】図１の平面図
【図３】本発明に係る他の記録紙搬送用振動子を適用した記録紙搬送機構の実施形態を示す正面図
【図４】従来の一般的な記録紙搬送用振動子を適用した記録紙搬送機構の側面図
【図５】図４の平面図
【図６】第１次から第３次の厚さ方向の振動状態を示すグラフ
【符号の説明】
１，２１　記録紙搬送機構
２，３２　記録紙搬送用振動子振動子
３，２２　支持台
４，１７，２３　ブラケット
５，２４　振動板
６　中央板部
７Ａ，７Ｂ，２６　屈曲部
８　突起
９，１５　ねじ
１０Ａ，１０Ｂ，２９　圧電素子
１１，２７　駆動ローラ
１２，２８　従動ローラ
１３，３３　記録紙
１４　支持体
１６　基部
３１　線ばね
【図１】
2004097987.tif 000003
【図２】
2004097987.tif 000004
【図３】
2004097987.tif 000005
【図４】
2004097987.tif 000006
【図５】
2004097987.tif 000007
【図６】
2004097987.tif 000008